(57)【要約】【課題】            搬送しやすく、火災を早期に知らせ、消火がしやすくなる消火器を提供することである。【解決手段】        消火器１本体に付いている安全ピン２を抜くことによる安全ピン２の移動により警報ブザー３を駆動させ消火器１本体に取付けられているホース９の留め金具を固着手段としてマグネット４とし消火器１本体を搬送できる取手５をつけホース９の先にグリップ６を装着したことを特徴としそれにより安全ピン２を抜いたことにより警報ブザー３が駆動し周囲に知らすことができ固着手段としてマグネット４にすることによりホース９を容易にはずすことができ搬送時による噴射のミスを無くす為に取手５をつけ消火使用時に火元を狙いやすく握りやすいように、グリップ６をつけたことを特徴とする消火器。【選択図】      図１
2006167180.tif 000002
【特許請求の範囲】
【請求項１】
消火器本体に付いている安全ピンと消火器本体に設置されている警報ブザーとを駆動させる動作部材との間を作動紐で連結し、安全ピンを抜くことによる安全ピンの移動により作動紐を介して動作部材を作動させて警報ブザーを駆動させることを特徴とする消火器。
【請求項２】
前記動作部材は、常時ブザーのスイッチを構成する一対の接点間に挿入され、安全ピンを抜くことにより接点間から離脱されて接点間が閉じられるようにしたことを特徴とする請求項１記載の消火器。
【請求項３】
前記警報ブザーは音声を発生する音声発生器であることを特徴とする請求項１又は２に記載の消火器。
【発明の詳細な説明】
【技術分野】
【０００１】
本発明は、安全ピンを抜いて消火活動を行う（以下消火器という）消火器に係わり従来の消火器よりも、取扱いやすく、火災を早期に知らせ、消火がしやすくなる消火器に関する。
【背景技術】
【０００２】
一般に普及している消火器は、粉末消火器であり使用する者にとっては実際、初歩的なミスが多いことである。
【０００３】
消火器とは一般に使用する前に安全ピンを初めに抜いて使用するもので、誰もが早く消火が出来る消火器である。
【０００４】
一般の消火器の薬剤は（泡あるいは粉末剤からなる消火剤、以下消火剤という）１０〜２０秒程度で無くなってしまうのである。
【０００５】
初歩的なミスとして、安全ピンを抜いた事を忘れて移動の時にレバーを握り噴射してしまい、又は火元を狙えずに噴射をし、火を消す前に消火剤が無くなる危険性もある。
【０００６】
過去の例として、安全ピンを抜き忘れ噴射できずに火元に消火器を投げすてたり、慌てて消火できずに助けを求めた結果、火災が拡大した事例もあり。もちろん落ち着いてが前提になるが、必死は間違いなく、ましてや消火に協力してもらうために、大声で呼び掛けしないとならないこともあり、これではせっかくの消火も無駄になることがある。
【０００７】
なお本願発明に関連する公知技術として次の非特許文献１を挙げることができる。
【非特許文献１】「防災総合カタログ備える０２．０７」株式会社モリタ、２００２年、Ｐ１０、Ａ−６粉末一般用Ｍ−１０Ｖ型
【発明の開示】
【発明が解決しようとする課題】
【０００８】
従来の消火器についての問題として、火災を早期に発見したら、通報しなければならない、消火もしなければいけない、周りに知らさなければいけないなど何から始めなければならないのかパニックになり、そのため安全ピンを抜く事を忘れレバーを握っても出ないと勘違いをし、又は安全ピンを抜いてすぐにレバーを握ってしまい火元にたどり着く前に消火剤が無くなり火災拡大等が起こることがある。
【０００９】
従来の消火器では初めに安全ピンを抜きホースを伸ばしレバーを握り噴射する。だがホースを伸ばす前に消火剤を噴射する問題があり、慌てているにもかかわらず、ホースの留め金具からホースが離れない場合があり、このため消火器を押さえようとレバーを握ってしまい噴射することがある。
【００１０】
従来の消火器での持ち運びの時に消火剤を噴射する問題として、取手と分かるものもなく取手とレバーが一同一場所にあり、持ち運びの前に安全ピンを抜くために運ぶ時慌てて（消火器の重さも入り）、力が入り、レバーを握ってしまうことがある。
【００１１】
従来の消火器でのなかなか火元に当たらない問題として、ホースがついている留め金具からホースを取る時にホースの真ん中部分を持って留め金具を外す事が多く、そしてホースの先の方に手を持ち替えずそのまま火元にむける為に、薬剤噴射の勢いでホースの筒先が揺れ動き、火元に当たらないことがある。
【００１２】
上述の如く、従来の消火器では、火元にいくまでに何らかの初歩的ミスで消火を失敗している傾向が多く。特に非力な女性や高齢者には多く見受けられ、従来の消火器ではミスを解決するのが難しいのである。
【００１３】
本発明は、このような従来の有していた問題を解決しようとするものであり、取扱いやすく、火災を早期に知らせ、消火がしやすくなる消火器を実現することを目的とする。
【課題を解決するための手段】
【００１４】
本発明消火器は請求項１を特徴とするのである。
【００１５】
又、本発明は、請求項２を特徴とするのである。
【００１６】
更に、本発明消火器は請求項３を特徴とするのである。
【発明の効果】
【００１７】
本発明は、上記構成にしたので安全ピンを抜くとブザーが鳴りいち早く周囲に知らせ、誰もが簡単に使用できるようにしたのである
【００１８】
請求項２に記載の構成にしたのでブザーを鳴らすことにより本人が消火により集中することができ、しかも周囲が聞きつけ協力してくれるのである。
【００１９】
請求項３ではブザーが音声になることで火災だと周囲は認識できるのである。
【発明を実施するための最良の形態】
【００２０】
今回の消火器の検証として一般に普及している、粉末消火器を使用する。
【００２１】
以下本発明の実施の形態を粉末消火器を用いて図１〜図１２に基づいて説明する。
【００２２】
図１〜図９は本発明の第１の実施の形態に係わり、図１はその全景図、図２は安全ピンと警報ブザーの取付図、図３と図４はホースの留め金具をマグネットに取り替えた図、図５はホースにグリップを装着した図、図６は消火器本体に取手部分を取付た図である。
【００２３】
図２が示すように安全ピン2と警報ブザー３が作動紐１５（ナイロン等からなる強靭な材料で構成）によってつながっているのである。
【００２４】
具体的には図２が示すように安全ピン2と警報ブザー3に付いているように動作部材栓１６となる作動紐１５とで連結されている。
【００２５】
更にブザーを駆動するための電池の消耗を防止する防止板８が動作部材栓１６と同様に作動紐１５に連結されている。
【００２６】
それにより図７と図８が示す警報ブザー3の防止板８と動作部材栓１６も同時に抜けて、警報ブザー3が７０〜１５０dBの大音量で鳴り周りに火災を知らせる装置の取付けをした。
【００２７】
消火器1は野外や屋内に設置されるケースが多く、使用条件を考慮して本発明の消火器に用いられる図２の警報ブザー3は今後防滴仕様にすることが可能である。
【００２８】
図２で示したようにまず防止板８があり、火災時には安全ピン2を抜くと作動紐１５が安全ピン２と一緒に引っ張られ、防止板８と動作部材栓１６が外れる。そのため警報ブザー３が作動し周囲に知らせる仕組みである。
【００２９】
消火活動後、音を消す時は警報ブザー３の動作部材栓１６を元の警報ブザー３の差込口に戻すと警報ブザー３の音は鳴り止む仕組みである。
【００３０】
また、防止板８の動作部材栓１６を元の差し込み口に戻すと電池消耗を防止するのである。
【００３１】
図２で示した警報ブザー３の電池１７の耐用年数は１年であり電池１７は交換でき、また今後延ばせられることが可能である。
【００３２】
また警報ブザー３の電池１７の連続使用時間は警報ブザー３の能力としては新品の電池１７で１時間〜１時間３０分持続可能であることが発明者の実験結果で証明された。
【００３３】
今後警報ブザー３を音声発生器に代えることにより（火事です）等の音声に切り替えることも可能である。
【００３４】
図３と図４で示したホース９が取付けられている、留め金具4からホース9が固くてなかなか離れない状況を、マグネット4を取付けることにより容易にはずすことができることにした。
【００３５】
この図4で示したマグネット4の突出、マグネットの角度を消火器の外壁面に対して２度とすれば、ホース9を最適な下向きの設置状態に保持できるのである。
【００３６】
図６で示した取手5を付けることにより、火災を発見し消火器1を搬送するとき、搬送しやすく取手5を取付け、レバー10と取手５を離し、搬送を容易にした。
【００３７】
図６で示したように、取手5は強化軽量プラスティック及び軽量ステンレス等で取付けるのである。
【００３８】
取手5は前後に動き、前後ともに、一定の角度１５度（垂直方向に対して）の角度で止まるように設定されているのである。
【００３９】
今回の取手5は３０kgまでの負荷に耐え一般に普及されている消火器には十分使用可能であり、今後取手5はそれ以上の負荷に耐えるようにすることが可能である。
【００４０】
図５で示したホース９にグリップ６を装着し、ホース9の先を持たずホース９の真ん中を持ってしまう状況をホース９にグリップ６を装着することにより、グリップ６を掴んで先を持つようなる。
【００４１】
図５で示したグリップ６は劣化しにくい強化プラスティック及びゴムなど滑らない、握りやすい形状になっているのである。
【００４２】
図５で示したグリップ6についている金属版11は、マグネット4にしっかり吸着するようグリップ6にはめ込んである。
【００４３】
図７と図８で示したように、１．５０mmステンレスワイヤー７を１．５０mmアルミクランプ１３で留め、同じように取手５と１．００mmステンレスワイヤー１２とを一緒に１．００mmアルミクランプ１４で留め警報ブザー３と取手を固定したものである。
【００４４】
図９は上記で示した形態を消火器１に取付けたものである。
【図面の簡単な説明】
【００４５】
【図１】本発明の第１の実施の形態に係わる消火器の外観図である。
【図２】同消火器の安全ピンと警報ブザーの取付図である。
【図３】同消火器のホースの脱着部分の図である。
【図４】同消火器のマグネット吸着部分の図である。
【図５】同消火器のホースに取付たグリップの図である。
【図６】同消火器の取手の部分の図である。
【図７】同消火器と取手とを取付に使用したステンレスワイヤーの図である。
【図８】取手と警報ブザーをステンレスワイヤーで取付図である。
【図９】同消火器に取手と警報ブザーをステンレスワイヤーで取付けた図である。
【符号の説明】
【００４６】
１消火器
２安全ピン
３警報ブザー
４マグネット
５取手
６グリップ
７ステンレスワイヤー1.50mm
８防止板
９ホース
１０レバー
１１金属板
１２ステンレスワイヤー1.00mm
１３アルミクランプ1.50mm
１４アルミクランプ1.00mm
１５作動紐
１６動作部材栓
１７警報ブザー電池
【図１】
2006167180.tif 000003
【図２】
2006167180.tif 000004
【図３】
2006167180.tif 000005
【図４】
2006167180.tif 000006
【図５】
2006167180.tif 000007
【図６】
2006167180.tif 000008
【図７】
2006167180.tif 000009
【図８】
2006167180.tif 000010
【図９】
2006167180.tif 000011